(57)【要約】【課題】上端にフランジを有するカップ形状の容器を複数個並べ、各容器の上面を覆った状態で、フランジの下部を係止すると共に、フランジの外周を保持することにより、ホルダーに対する保持力を強くするようにしたカップホルダーを提供する。【解決手段】上部にフランジを有する所定数のカップを隣接した状態で直列に並べ、これらのカップの上面を一括的に覆った状態で保持するカップホルダーにおいて、カップの配列方向の両側に沿って所定の離間部をあけてカップの数だけ形成し、夫々の離間部にて隣設する端部切込線の内方端部付近を結ぶ線を折曲線として該折曲線の外側の辺部を下方へ折り曲げることによって各凸形線部の外側に形成された各凹形部が各カップの外周側面に沿って湾曲に変形して各カップの外周側面を押圧状態で包囲すると共に、各凹形部の両側にて上方を向く各角部の上端が各カップのフランジの下面を係止するようにした。【選択図】図３
2012245996.tif 000002
【特許請求の範囲】
【請求項１】
上部にフランジを有する所定数のカップを隣接した状態で直列に並べ、これらのカップの上面を一括的に覆った状態で保持するカップホルダーにおいて、
弾性を有するシート材料からなるカップホルダーが直列に並べたカップのフランジの上面を一括して覆い、
カップの直列方向の両側に沿う対向位置で各カップのフランジの上面を押える凸形部を形成するために切り込んだ凸形線部と、該凸形線部からカップの内方へ入った部位から左右へ広がる方向へ切り込んだ両裾線部と、各両裾線部をカップのフランジの外周端近傍の外部まで延長すると共に該両裾線部の各端部に垂直に接するように切り込んだ端部切込線とから成る連続切込線をカップの配列方向の両側に沿って所定の離間部をあけてカップの数だけ形成し、
夫々の離間部にて隣設する端部切込線の内方端部付近を結ぶ線を折曲線として該折曲線の外側の辺部を下方へ折り曲げることによって各凸形線部の外側に形成された各凹形部が各カップの外周側面に沿って湾曲に変形して各カップの外周側面を押圧状態で包囲すると共に、各凹形部の両側にて上方を向く各角部が各カップの外周側面を押圧した状態にして各角部の上端が各カップのフランジの下面を係止するようにしたことを特徴とするカップホルダー。
【請求項２】
上部にフランジを有する４個のカップを対角線方向に隣接状態で並べ、これらのカップの上面を一括的に覆った状態で保持するカップホルダーにおいて、
弾性を有するシート材料からなるカップホルダーが対角線方向に隣接配置した４個のカップのフランジの上面を一括して覆い、
対角線方向に隣接状態で配置した４個のカップのコーナー部において各カップのフランジの上面を押える湾曲凸形部を形成するために切り込んだ湾曲凸形線部と、該湾曲凸形線部からカップの内方へ入った部位から左右へ広がる方向へ切り込んだ両裾線部と、該両裾線部をカップのフランジの外周近傍まで延長すると共に該両裾線部の端部に略垂直に接するように切り込んだ端部切込線とから成る連続切込線を形成し、
夫々の連続切込線の間をなす離間部にて隣設する端部切込線の内方端部付近を結ぶ線を折曲線として該折曲線の外側の辺部を下方へ折り曲げることによって各湾曲凸形線部の外側に形成された各湾曲凹形部がカップの外周側面に沿って湾曲に変形して各カップの外周側面を押圧状態で包囲すると共に、各湾曲凹形部の両側にて上方を向く各角部が各カップの外周側面を押圧した状態にして各角部の上端が各カップのフランジの下面を係止する一方、
対角線方向に隣接状態で配置した４個のカップの間の中央の隙間をなす位置に相当するカップホルダーの内方部位を所定の形状に切り込んで下方に折り曲げることによって形成した係止構造でカップのフランジを係止するようにしたことを特徴とするカップホルダー。
【請求項３】
対角線方向に隣接状態で配置した４個のカップの間の中央の隙間をなす位置に相当するカップホルダーの内方部位に形成した係止構造は、
対角線方向に切り込んだ十字形の切込線の各先端が各カップのフランジの内周付近まで形成されると共に、各切込線の各先端の両側に短尺の切離部が形成された構成とし、
隣設する各切離部間に設けられた折曲線に沿って下方に折り曲げて形成した三角片の両端の角部の上端で各カップのフランジの下面を係止するようにしたことを特徴とする請求項２記載のカップホルダー。
【請求項４】
対角線方向に隣接状態で配置した４個のカップの間の中央の隙間をなす位置に相当するカップホルダーの内方部位に形成した係止構造は、
一方の対角線に沿って形成した直線状の中央切込線の各先端が対向する２個のカップの各フランジの内周付近に至るまで形成されると共に、該中央切込線の各先端部が各カップにおけるフランジの内周近傍に沿って形成した円弧形切込線の中間位置に接合され、
他方の対角位置に配置した２個のカップの各フランジの内方に沿って互いに平行に形成した一対の折曲線の各内方部に切抜線を形成する一方、各折曲線の各端部に形成された短尺の切離線が各円弧形切込線の両端に結合された構成とし、
中央切込線を境にして分離した両側の折曲片を夫々の折曲線に沿って下方に折り曲げ、各切抜線に各カップのフランジを引っ掛けると共に、両側の折曲片の各両端部の切離線で形成された角部で一方の対角位置に配置した２個のカップの各フランジの下面を係止するようにしたことを特徴とする請求項２記載のカップホルダー。
【請求項５】
対角線方向に隣接状態で配置した４個のカップの間の中央の隙間をなす位置に相当するカップホルダーの内方部位に形成した係止構造は、
直線状の中央折曲線が互いに隣接する２個ずつのカップの各接点付近まで形成されると共に、該中央折曲線の両端部に切離されない折曲部を残して内方に中央切抜線を形成する一方、
中央折曲線の両端に接合する左右の円弧形切抜線と各円弧形切抜線の各両端から４個のカップの中央の隙間に臨むフランジの中央付近の外周位置まで延長した傾斜切抜線を形成すると共に、各傾斜切抜線の内方端部付近に小円弧形切抜線を接合し、中央切抜線を跨いで隣設する小円弧形切抜線の端部同士を折曲線で接続した構成とし、
中央折曲線で下方へ折り曲げてなる両側の長尺折曲片の各小円弧形切抜線の角部で各カップのフランジの下面を係止するようにしたことを特徴とする請求項２記載のカップホルダー。
【請求項６】
上部にフランジを有する所定数のカップを隣接した二列配置状態で並べ、これらのカップの上面を一括的に覆った状態で保持するカップホルダーにおいて、
弾性を有するシート材料からなるカップホルダーが隣接した二列配置状態で並べた所定数のカップのフランジの上面を一括して覆い、
カップの二列配置状態のコーナー部において各カップのフランジの上面を押える湾曲凸形部を形成するために切り込んだ湾曲凸形線部と、該湾曲凸形線部からカップの内方へ入った部位から左右へ広がる方向へ切り込んだ両裾線部と、該両裾線部をカップのフランジの外周端近傍の外部まで延長すると共に該両裾線部の端部に垂直に接するように切り込んだ端部切込線とから成る連続切込線を形成すると共に、所定数のカップの二列配置状態における短尺側の各連続切込線の間をなす離間部にて隣設する端部切込線の内方端付近を結ぶ線を折曲線として形成する一方、
所定数のカップの二列配置状態の長尺方向に配置された各カップのフランジの外側上面を押える凸形部を形成するために切り込んだ凸形線部と、該凸形線部からカップの内方へ入った部位から左右へ広がる方向へ切り込んだ両裾線部と、該両裾線部をカップのフランジの外周端近傍の外部まで延長すると共に該両裾線部の各端部に垂直に接するように切り込んだ端部切込線とから成る連続切込線をカップの配列方向の両側に沿って所定の離間部をあけて形成し、
夫々の離間部にて隣設する端部切込線の内方端部付近を結ぶ線を折曲線として該折曲線の外側の辺部を下方へ折り曲げることによって各凸形線部の外側に形成された各凹形部がカップの外周側面に沿って湾曲に変形して各カップの外周側面を押圧状態で包囲すると共に、各凹形部の両側にて上方を向く各角部がカップの外周側面を押圧した状態にして各角部の上端が各カップのフランジの下面を係止し、
所定数のカップの二列配置状態の各コーナー部に形成された湾曲凹形部の両側の角部がカップの外周側面を押圧した状態にして各角部の上端が各カップのフランジの下面を係止する一方、
二列配置状態に配列した所定数のカップの間の内方の各隙間をなす位置に相当するカップホルダーの各内方部位を所定の形状に切り込んで下方に折り曲げることによって形成した係止構造でカップのフランジを係止するようにしたことを特徴とするカップホルダー。
【請求項７】
二列配置状態に配列した所定数のカップの間の内方の各隙間をなす位置に相当するカップホルダーの各内方部位に形成した係止構造は、
四方のカップの対角線方向に切り込んだ十字形の切込線の各先端が各カップのフランジの内周付近まで形成されると共に、各切込線の各先端の両側に短尺の切離部が形成された構成とし、
隣設する各切離部間に設けられた折曲線に沿って下方に折り曲げて形成した三角片の両端の角部の上端で各カップのフランジの下面を係止するようにしたことを特徴とする請求項６記載のカップホルダー。
【請求項８】
二列配置状態に配列した所定数のカップの間の内方の各隙間をなす位置に相当するカップホルダーの各内方部位に形成した係止構造は、
四方のカップの一方の対角線に沿って形成した直線状の中央切込線の各先端が対向する２個のカップの各フランジの内周付近に至るまで形成されると共に、該中央切込線の各先端部が各カップにおけるフランジの内周近傍に沿って形成した円弧形切込線の中間位置に接合され、
他方の対角位置に配置した２個のカップの各フランジの内方に沿って互いに平行に形成した一対の折曲線の各内方部に切抜線を形成する一方、各折曲線の各端部に形成された短尺の切離線が各円弧形切込線の両端に結合された構成とし、
中央切込線を境にして分離した両側の折曲片を夫々の折曲線に沿って下方に折り曲げ、各切抜線に各カップのフランジを引っ掛けると共に、両側の折曲片の各両端部の切離線で形成された角部で一方の対角位置に配置した２個のカップの各フランジの下面を係止するようにしたことを特徴とする請求項６記載のカップホルダー。
【請求項９】
二列配置状態に配列した所定数のカップの間の内方の各隙間をなす位置に相当するカップホルダーの各内方部位に形成した係止構造は、
直線状の中央折曲線が互いに隣接する２個ずつのカップの各接点付近まで形成されると共に、該中央折曲線の両端部に切離されない折曲部を残して内方に中央切抜線を形成する一方、
中央折曲線の両端に接合する左右の円弧形切抜線と各円弧形切抜線の各両端から４個のカップの中央の隙間に臨むフランジの中央付近の外周位置まで延長した傾斜切抜線を形成すると共に、各傾斜切抜線の内方端部付近に小円弧形切抜線を接合し、中央切抜線を跨いで隣設する小円弧形切抜線の端部同士を折曲線で接続した構成とし、
中央折曲線で下方へ折り曲げてなる両側の長尺折曲片の各小円弧形切抜線の角部で各カップのフランジの下面を係止するようにしたことを特徴とする請求項６記載のカップホルダー。
【発明の詳細な説明】
【技術分野】
【０００１】
本発明は、上端にフランジを有するカップ形状の容器を複数個並べた状態で一括的に保持するカップホルダーに関する。
【背景技術】
【０００２】
従来から、プリンやヨーグルト等を収容する容器は、比較的小型のカップ形状の容器の上端にフランジを備え、そのフランジの上面に合成樹脂製等のシールを張ることによって、容器の上部開口を密閉するようにしている。
【０００３】
ところで、このような容器に内容物を収容して販売する際、内容物入りの複数の容器を一度に持ち運んだり、管理することができるように、所定数の容器を並べた状態で一括的に保持するホルダーが使用されている。
【０００４】
そこで、このようなホルダーの従来例について、下記の特許文献を参照しながら説明する。
【０００５】
まず、特許文献１のホルダーは、容器を直列状に配置して一括的に保持するようにしたものであり、単一の四角形からなる厚紙の中央部に容器挿入孔を穿設し、この容器挿入孔に挿入した容器のフランジを容器挿入孔の周部で係止するものである。また、容器挿入孔の両側の厚紙を上方に折り曲げて起立板を形成すると共に、フランジの両端部を起立板に形成した切込に引掛けて係止するようにしている。
【０００６】
ところで、この特許文献１のホルダーは、容器の上部が容器挿入孔から上方へ突出するものであり、容器の上面全体をホルダーで覆う形状のものではない。従って、ホルダーの上面に商品の図柄や文字等を表示するようにした使用形態には不向きであった。
【０００７】
また、上記の特許文献１の構成では、起立板を折り下げたとき、フランジの両端部を切込に引掛けて係止した状態から容易に解除されるため、個々の容器がホルダーから外れ易いという不都合が生じる。
【０００８】
また、特許文献２のホルダーは、複数個のカップに設けられたフランジの上面を平面状のホルダーで覆うものであり、隣設するカップとカップの間の折曲片を下方に折り曲げると共に、折曲片の両端の当接片をカップのフランジの下部に引掛けるように構成したものである。また、ホルダーの中央位置においても、下方へ折り曲げた折曲片の両側の当接片でカップのフランジの下部を係止する構成とされている。
【０００９】
このような特許文献２の構成は、夫々のカップのフランジに対して３箇所を下方に折り曲げた折曲片の両側の当接片で係止した構成とされている。従って、ホルダーの装着後に、折曲片を上方に折り返しただけで、折曲片の両側の当接片がフランジに対する係止状態から解除され、ホルダーがカップから容易に外れてしまうという不都合があった。
【００１０】
さらに、特許文献３の構成は、４個以上の容器を２列以上に並べて保持可能なつば付き容器用ホルダーに関する構成であり、ホルダー本体の天面部の内方において、下方に折り曲げ可能な折込片が切欠きによって形成され、この折込片に形成された掛止片の上端縁部で容器のつば部を掛止するようにしている。
【００１１】
ところが、容器のつば部は掛止片の上端縁部で単に引掛けられて保持される構成であるため、このような構成の掛止片の上端縁部では、容器のつば部を強く保持することができないという不都合が生じる。
【００１２】
また、この特許文献３のホルダー本体の天面部の外側部においては、側板部を下方に折り曲げ、その折曲げ箇所に形成された側縁掛止部に容器のつば部を掛止する構成とされている。ところが、このような掛止構造においては、容器のつば部を側縁掛止部に単に引っ掛けるだけであって、側板部が容器の外周側面を押圧する等の保持力を有しないため、容器のつば部が側縁掛止部から抜け出やすいという不都合が生じる。
【先行技術文献】
【特許文献】
【００１３】
【特許文献１】実開昭５１−１１１４７７号公報
【特許文献２】特開２０００−２３８８３７号公報
【特許文献３】特許第３３０５９７１号公報
【発明の概要】
【発明が解決しようとする課題】
【００１４】
本発明は、上記の事情に鑑みてなされたもので、上端にフランジを有するカップ形状の容器を複数個並べ、各容器の上面を覆った状態で一括的に保持すると共に、各容器に対する保持力を強くすることによって、容器がホルダーから外れ難くしたカップホルダーを提供することを目的とする。
【課題を解決するための手段】
【００１５】
上記の課題を解決するために、本発明の請求項１のカップホルダーは、上部にフランジを有する所定数のカップを隣接した状態で直列に並べ、これらのカップの上面を一括的に覆った状態で保持するカップホルダーにおいて、弾性を有するシート材料からなるカップホルダーが直列に並べたカップのフランジの上面を一括して覆い、カップの直列方向の両側に沿う対向位置で各カップのフランジの上面を押える凸形部を形成するために切り込んだ凸形線部と、該凸形線部からカップの内方へ入った部位から左右へ広がる方向へ切り込んだ両裾線部と、各両裾線部をカップのフランジの外周端近傍の外部まで延長すると共に該両裾線部の各端部に垂直に接するように切り込んだ端部切込線とから成る連続切込線をカップの配列方向の両側に沿って所定の離間部をあけてカップの数だけ形成し、夫々の離間部にて隣設する端部切込線の内方端部付近を結ぶ線を折曲線として該折曲線の外側の辺部を下方へ折り曲げることによって各凸形線部の外側に形成された各凹形部が各カップの外周側面に沿って湾曲に変形して各カップの外周側面を押圧状態で包囲すると共に、各凹形部の両側にて上方を向く各角部が各カップの外周側面を押圧した状態にして各角部の上端が各カップのフランジの下面を係止するようにしたことを特徴とする。
【００１６】
また、本発明の請求項２のカップホルダーは、上部にフランジを有する４個のカップを対角線方向に隣接状態で並べ、これらのカップの上面を一括的に覆った状態で保持するカップホルダーにおいて、弾性を有するシート材料からなるカップホルダーが対角線方向に隣接配置した４個のカップのフランジの上面を一括して覆い、対角線方向に隣接状態で配置した４個のカップのコーナー部において各カップのフランジの上面を押える湾曲凸形部を形成するために切り込んだ湾曲凸形線部と、該湾曲凸形線部からカップの内方へ入った部位から左右へ広がる方向へ切り込んだ両裾線部と、該両裾線部をカップのフランジの外周近傍まで延長すると共に該両裾線部の端部に略垂直に接するように切り込んだ端部切込線とから成る連続切込線を形成し、夫々の連続切込線の間をなす離間部にて隣設する端部切込線の内方端部付近を結ぶ線を折曲線として該折曲線の外側の辺部を下方へ折り曲げることによって各湾曲凸形線部の外側に形成された各湾曲凹形部がカップの外周側面に沿って湾曲に変形して各カップの外周側面を押圧状態で包囲すると共に、各湾曲凹形部の両側にて上方を向く各角部が各カップの外周側面を押圧した状態にして各角部の上端が各カップのフランジの下面を係止する一方、対角線方向に隣接状態で配置した４個のカップの間の中央の隙間をなす位置に相当するカップホルダーの内方部位を所定の形状に切り込んで下方に折り曲げることによって形成した係止構造でカップのフランジを係止するようにしたことを特徴とする。
【００１７】
また、本発明の請求項３のカップホルダーは、請求項２において、対角線方向に隣接状態で配置した４個のカップの間の中央の隙間をなす位置に相当するカップホルダーの内方部位に形成した係止構造は、対角線方向に切り込んだ十字形の切込線の各先端が各カップのフランジの内周付近まで形成されると共に、各切込線の各先端の両側に短尺の切離部が形成された構成とし、隣設する各切離部間に設けられた折曲線に沿って下方に折り曲げて形成した三角片の両端の角部の上端で各カップのフランジの下面を係止するようにしたことを特徴とする。
【００１８】
また、本発明の請求項４のカップホルダーは、請求項２において、対角線方向に隣接状態で配置した４個のカップの間の中央の隙間をなす位置に相当するカップホルダーの内方部位に形成した係止構造は、一方の対角線に沿って形成した直線状の中央切込線の各先端が対向する２個のカップの各フランジの内周付近に至るまで形成されると共に、該中央切込線の各先端部が各カップにおけるフランジの内周近傍に沿って形成した円弧形切込線の中間位置に接合され、他方の対角位置に配置した２個のカップの各フランジの内方に沿って互いに平行に形成した一対の折曲線の各内方部に切抜線を形成する一方、各折曲線の各端部に形成された短尺の切離線が各円弧形切込線の両端に結合された構成とし、中央切込線を境にして分離した両側の折曲片を夫々の折曲線に沿って下方に折り曲げ、各切抜線に各カップのフランジを引っ掛けると共に、両側の折曲片の各両端部の切離線で形成された角部で一方の対角位置に配置した２個のカップの各フランジの下面を係止するようにしたことを特徴とする。
【００１９】
さらに、本発明の請求項５のカップホルダーは、請求項２において、対角線方向に隣接状態で配置した４個のカップの間の中央の隙間をなす位置に相当するカップホルダーの内方部位に形成した係止構造は、直線状の中央折曲線が互いに隣接する２個ずつのカップの各接点付近まで形成されると共に、該中央折曲線の両端部に切離されない折曲部を残して内方に中央切抜線を形成する一方、中央折曲線の両端に接合する左右の円弧形切抜線と各円弧形切抜線の各両端から４個のカップの中央の隙間に臨むフランジの中央付近の外周位置まで延長した傾斜切抜線を形成すると共に、各傾斜切抜線の内方端部付近に小円弧形切抜線を接合し、中央切抜線を跨いで隣設する小円弧形切抜線の端部同士を折曲線で接続した構成とし、中央折曲線で下方へ折り曲げてなる両側の長尺折曲片の各小円弧形切抜線の角部で各カップのフランジの下面を係止するようにしたことを特徴とする。
【００２０】
また、本発明の請求項６のカップホルダーは、上部にフランジを有する所定数のカップを隣接した二列配置状態で並べ、これらのカップの上面を一括的に覆った状態で保持するカップホルダーにおいて、弾性を有するシート材料からなるカップホルダーが隣接した二列配置状態で並べた所定数のカップのフランジの上面を一括して覆い、カップの二列配置状態のコーナー部において各カップのフランジの上面を押える湾曲凸形部を形成するために切り込んだ湾曲凸形線部と、該湾曲凸形線部からカップの内方へ入った部位から左右へ広がる方向へ切り込んだ両裾線部と、該両裾線部をカップのフランジの外周端近傍の外部まで延長すると共に該両裾線部の端部に垂直に接するように切り込んだ端部切込線とから成る連続切込線を形成すると共に、所定数のカップの二列配置状態における短尺側の各連続切込線の間をなす離間部にて隣設する端部切込線の内方端付近を結ぶ線を折曲線として形成する一方、所定数のカップの二列配置状態の長尺方向に配置された各カップのフランジの外側上面を押える凸形部を形成するために切り込んだ凸形線部と、該凸形線部からカップの内方へ入った部位から左右へ広がる方向へ切り込んだ両裾線部と、該両裾線部をカップのフランジの外周端近傍の外部まで延長すると共に該両裾線部の各端部に垂直に接するように切り込んだ端部切込線とから成る連続切込線をカップの配列方向の両側に沿って所定の離間部をあけて形成し、夫々の離間部にて隣設する端部切込線の内方端部付近を結ぶ線を折曲線として該折曲線の外側の辺部を下方へ折り曲げることによって各凸形線部の外側に形成された各凹形部がカップの外周側面に沿って湾曲に変形して各カップの外周側面を押圧状態で包囲すると共に、各凹形部の両側にて上方を向く各角部がカップの外周側面を押圧した状態にして各角部の上端が各カップのフランジの下面を係止し、所定数のカップの二列配置状態の各コーナー部に形成された湾曲凹形部の両側の角部がカップの外周側面を押圧した状態にして各角部の上端が各カップのフランジの下面を係止する一方、二列配置状態に配列した所定数のカップの間の内方の各隙間をなす位置に相当するカップホルダーの各内方部位を所定の形状に切り込んで下方に折り曲げることによって形成した係止構造でカップのフランジを係止するようにしたことを特徴とする。
【００２１】
また、本発明の請求項７のカップホルダーは、請求項６において、二列配置状態に配列した所定数のカップの間の内方の各隙間をなす位置に相当するカップホルダーの各内方部位に形成した係止構造は、四方のカップの対角線方向に切り込んだ十字形の切込線の各先端が各カップのフランジの内周付近まで形成されると共に、各切込線の各先端の両側に短尺の切離部が形成された構成とし、隣設する各切離部間に設けられた折曲線に沿って下方に折り曲げて形成した三角片の両端の角部の上端で各カップのフランジの下面を係止するようにしたことを特徴とする。
【００２２】
また、本発明の請求項８のカップホルダーは、請求項６において、二列配置状態に配列した所定数のカップの間の内方の各隙間をなす位置に相当するカップホルダーの各内方部位に形成した係止構造は、四方のカップの一方の対角線に沿って形成した直線状の中央切込線の各先端が対向する２個のカップの各フランジの内周付近に至るまで形成されると共に、該中央切込線の各先端部が各カップにおけるフランジの内周近傍に沿って形成した円弧形切込線の中間位置に接合され、他方の対角位置に配置した２個のカップの各フランジの内方に沿って互いに平行に形成した一対の折曲線の各内方部に切抜線を形成する一方、各折曲線の各端部に形成された短尺の切離線が各円弧形切込線の両端に結合された構成とし、中央切込線を境にして分離した両側の折曲片を夫々の折曲線に沿って下方に折り曲げ、各切抜線に各カップのフランジを引っ掛けると共に、両側の折曲片の各両端部の切離線で形成された角部で一方の対角位置に配置した２個のカップの各フランジの下面を係止するようにしたことを特徴とする。
【００２３】
さらに、本発明の請求項９のカップホルダーは、請求項６において、二列配置状態に配列した所定数のカップの間の内方の各隙間をなす位置に相当するカップホルダーの各内方部位に形成した係止構造は、直線状の中央折曲線が互いに隣接する２個ずつのカップの各接点付近まで形成されると共に、該中央折曲線の両端部に切離されない折曲部を残して内方に中央切抜線を形成する一方、中央折曲線の両端に接合する左右の円弧形切抜線と各円弧形切抜線の各両端から４個のカップの中央の隙間に臨むフランジの中央付近の外周位置まで延長した傾斜切抜線を形成すると共に、各傾斜切抜線の内方端部付近に小円弧形切抜線を接合し、中央切抜線を跨いで隣設する小円弧形切抜線の端部同士を折曲線で接続した構成とし、中央折曲線で下方へ折り曲げてなる両側の長尺折曲片の各小円弧形切抜線の角部で各カップのフランジの下面を係止するようにしたことを特徴とする。
【発明の効果】
【００２４】
本発明の請求項１のカップホルダーは、上部にフランジを有する所定数のカップを隣接した直列状態に並べ、各カップをカップホルダーで一括的に保持した状態にして管理し、展示し又は持ち運ぶ際等に利用可能である。
【００２５】
このようなカップホルダーは、例えばカップを３個直列に配置した３個口のカップホルダーとして利用可能である。この場合、直列に並べたカップのフランジの上面をカップホルダーで一括的に覆った状態にする。
【００２６】
そして、カップホルダーの外側の辺部を下方へ折り曲げることによって形成された各凹形部が各カップの外周側面に沿って湾曲変形した押圧状態で包囲すると共に、各凹形部の両側にて上方を向く各角部がカップの外周側面を押圧した状態にして各角部の上端が各カップのフランジの下面を係止する。
【００２７】
また、カップホルダーの外側の辺部は各凹形部と凹形部の間、即ち各カップとカップの間において内方へ凹むと同時に、各凹形部が湾曲状に膨出変形した形状で各カップの外周を押圧保持する。従って、各カップを保持したカップホルダーの両側の外側形状は、各カップの外側面を包囲するごとに波状に膨出した形状となって、その反発力で各カップの外周側面を強力に押さえつけ、上記のように各凹形部の両側の各角部がフランジの下面を係止した際の保持力をさらに強化することが可能となる。
【００２８】
また、本発明の請求項２のカップホルダーは、上部にフランジを有する４個のカップを対角線方向に隣接状態で並べた状態にして各カップを一括的に保持した状態で管理し、展示し又は持ち運ぶ際等に利用可能となる。
【００２９】
このような請求項２のカップホルダーによれば、４個のカップを対角線方向に隣接状態で並べ、各カップの上面をカップホルダーで一括的に覆う状態にして、カップホルダーの外側の辺部を下方へ折り曲げることにより各コーナー部において各凸形線部の外側に湾曲凹形部が形成される。この湾曲凹形部は、カップの外周側面に沿って湾曲に変形して各カップの外周側面を押圧状態で包囲する。また、各湾曲凹形部の両側にて上方を向く各角部がカップの外周側面を押圧した状態にして各角部の上端が各カップのフランジの下面を係止する。
【００３０】
これによって、カップホルダーの外側形状は、各コーナー部とコーナー部の間、即ちカップとカップの間において内方へ凹むと同時に、各コーナー部において各カップの外側面を包囲するごとに波状に膨出した形状となって、その反発力で各カップの外周側面を押さえつけ、上記のように各湾曲凹形部の両側にて各角部がフランジの下面に係止された保持力をさらに強化することが可能となる。
【００３１】
また、請求項２のカップホルダーでは、対角線方向に隣接状態で配置した４個のカップの間の中央の隙間をなす位置に相当するカップホルダーの内方部位を所定の形状に切り込んで、下方に折り曲げることによって形成した係止構造で、カップのフランジを係止した状態にすることが可能となる。
【００３２】
さらに、本発明の請求項６のカップホルダーによれば、上部にフランジを有する所定数のカップを二列配置状態で並べた例として、カップを合計６個配置した６個口のカップホルダーとして構成することが可能である。ただし、本発明の請求項６の構成によれば、８個以上のカップの二列配置状態にも適用し得るカップホルダーを構成することも可能である。
【００３３】
また、この請求項６の発明は、請求項１と請求項２の構成を併せ持ったものであり、二列配置状態で配列した各カップの上面をホルダーで覆った状態にして、二列配置状態の長辺側における各コーナー部とコーナー部との間に上記の請求項１の構成を適用することが可能となる。また、二列配置状態の短辺側における各コーナー部とコーナー部の間に上記の請求項２の構成を適用することが可能となる。
【００３４】
そのような二列配置状態の長辺側における各コーナー部とコーナー部との間においては、カップホルダーの長辺側に形成された各凹形部が各カップの外周側面に沿って湾曲変形した押圧状態で包囲すると共に、各凹形部の両側にて上方を向く各角部がカップの外周側面を押圧した状態にして各角部の上端が各カップのフランジの下面を係止する。
【００３５】
これによって、カップホルダーの長辺側形状は各凹形部と各コーナー部の湾曲凹形部の間、即ち各カップとカップの間において内方へ凹むと同時に、各凹形部が湾曲状に膨出変形した形状で各カップの外周を押圧保持する。従って、各カップを保持したカップホルダーの両側の外側形状は、各カップの外側面を包囲するごとに波状に膨出した形状となって、その反発力で各カップの外周側面を強力に押さえつけ、上記のように各凹形部の両側の各角部がフランジの下面を係止した際の保持力をさらに強化することが可能となる。
【００３６】
さらに、各コーナー部に形成された湾曲凹形部が各カップの外周側面に沿って湾曲に変形して各カップの外周側面を押圧状態で包囲すると共に、各湾曲凹形部の両側にて上方を向く各角部がカップの外周側面を押圧した状態にして各角部の上端が各カップのフランジの下面を係止する。
【００３７】
これによって、カップホルダーの短辺側形状は、各コーナー部とコーナー部の間、即ちカップとカップの間において内方へ凹むと同時に、各コーナー部において各カップの外側面を包囲するごとに波状に膨出した形状となり、その反発力で各カップの外周側面を押さえつけ、上記のように各湾曲凹形部の両側にて各角部がフランジの下面に係止された保持力をさらに強化することが可能となる。
【００３８】
なお、この請求項６のカップホルダーにおいても、二列配置状態に配列した各カップの間の内方の隙間をなす位置に相当するカップホルダーの内方部位を所定の形状に切り込んで下方に折り曲げることによって形成した係止構造で、カップのフランジを係止した状態にすることが可能となる。
【図面の簡単な説明】
【００３９】
【図１】本発明の実施例１におけるカップホルダーの展開状態を示す平面図である。
【図２】本発明の実施例１におけるカップホルダーを直列配置した３個のカップに取り付けて保持した状態を示す上面図である。
【図３】本発明の実施例１におけるカップホルダーを直列配置した３個のカップに取り付けて保持した状態を示す斜視図である。
【図４】本発明の実施例２におけるカップホルダーの展開状態を示す平面図である。
【図５】本発明の実施例２におけるカップホルダーを対角線方向に配置した４個のカップに取り付けて保持した状態を示す上面図である。
【図６】本発明の実施例２におけるカップホルダーを対角線方向に配置した４個のカップに取り付けて保持した状態を示す斜視図である。
【図７】本発明の実施例２におけるカップホルダーの内方部位に形成した各カップのフランジを係止する係止構造に関して他の実施例を示すものである。
【図８】図７に示す各カップのフランジを係止する係止構造に関してさらに他の実施例を示す平面図である。
【図９】本発明の実施例３におけるカップホルダーの展開状態を示す平面図である。
【図１０】本発明の実施例３におけるカップホルダーを二列配置した６個のカップに取り付けて保持した状態を示す上面図である。
【図１１】本発明の実施例３におけるカップホルダーを二列配置した６個のカップに取り付けて保持した状態を示す斜視図である。
【図１２】本発明の実施例３におけるカップホルダーの内方部位に形成した各カップのフランジを係止する係止構造に関して他の実施例を示すものである。
【図１３】図１２に示す各カップのフランジを係止する係止構造に関してさらに他の実施例を示す平面図である。
【発明を実施するための形態】
【００４０】
以下、本発明の実施例について図面を参照しながら説明する。
【００４１】
本実施例のカップホルダーは、実施例１、２、３において、いずれも上部にフランジを有する所定数のカップを隣接状態に並べ、これらの所定数のカップの上面を一括的に覆った状態で保持するカップホルダー１Ａ、１Ｂ、１Ｃを構成するものである。
【００４２】
なお、実施例１のカップホルダー１Ａは、例えばカップを３個直列に配置した３個口のカップホルダーとして利用可能である。
【００４３】
また、実施例２のカップホルダー１Ｂは、４個のカップを対角線方向に隣接状態で並べた４個口のホルダーとして利用可能である。
【００４４】
さらに、実施例３のカップホルダー１Ｃは、例えば、６個のカップを二列配置状態で並べた６個口のカップホルダーとして利用可能である。
【実施例１】
【００４５】
本実施例のカップホルダー１Ａは、図１〜図３に示すように、３個のカップＣ、Ｃ…を直列に配置した３個口のカップホルダーとして利用可能であるが、２個のカップＣを直列に並べた２個口のカップホルダー、さらには４個のカップＣを直列に並べた４個口のカップホルダー、又はそれ以上の個数のカップＣを直列に並べたカップホルダーとして構成することも可能である。
【００４６】
このようなカップホルダー１Ａを形成する材料としては、厚紙や合成樹脂製の弾性を有するシート材料を用いて、図１のような展開形状に形成するとよい。また、カップホルダー１Ａの上面にカップＣの内容物に応じた宣伝用の絵柄や文字等を表示することも可能である。
【００４７】
図１において、本実施例のカップホルダー１Ａの展開形状は、カップＣのフランジＦの形状を２点鎖線で示すように、例えば３個のカップＣ、Ｃ…を隣接状態にして直列に並べた状態にして、各カップＣのフランジＦの上面を一括して覆う広さを有する長方形状から形成されている。
【００４８】
ただし、本実施例のカップホルダー１Ａの外形は、図１のような長方形状に限定されるものでなく、実施例１のカップホルダー１Ａを構成することができる範囲内で長円形や異形の形状等に形成することも可能である。
【００４９】
また、本実施例のカップホルダー１Ａの展開形状は、図１に示すように、各カップＣのフランジＦの上面における対向部を押える部位に形成した凸形部２をカップＣの配列方向の両側に沿って形成するように切り込んだ凸形線部３によって形成するようにしている。
【００５０】
また、上記の各凸形線部３からカップＣの内方へ入った部位へ切り込んだ両裾線部４ａ、４ｂをカップホルダー１Ａの長手方向に沿うように形成して、カップＣのフランジＦの外周端近傍の外部まで延長する。そして、このような両裾線部４ａ、４ｂの各端部に略垂直に接する端部切込線５ａ、５ｂを短尺の円弧形状で形成することにより、凸形線部３と両裾線部４ａ、４ｂと両側の端部切込線５ａ、５ｂとの組合せから成る連続切込線６が形成される。
【００５１】
さらに、本実施例においては、上記の連続切込線６を、カップＣの両側の配列方向に沿って所定の離間部７をあけてカップＣの数だけ形成する。このような構成において、本実施例のカップホルダー１Ａは、３個口のカップを保持するように形成してあるため、長方形状のカップホルダー１Ａの両側の長辺に沿って２箇所ずつ、合計４箇所の離間部７が形成される。
【００５２】
そして、夫々の離間部７にて隣設する端部切込線５ａ、５ｂの内方端部同士を結ぶ線を折曲線８とし、さらにカップホルダー１Ａの長手方向の両端部においても、端部切込線５ａ、５ｂの内方端部から上記の折曲線と同様に折曲線８ａ、８ｂを形成する。
【００５３】
これらの折曲線８、８ａ、８ｂは、両裾線部４ａ、４ｂよりもさらに内方に入った位置に形成されるため、図２又は図３に示すように、折曲線８、８ａ、８ｂの両方の外側の辺部９、９を下方へ折り曲げることによって、各折曲線８、８ａ、８ｂの下方では、カップホルダー１Ａの外側形状を内方へ凹ませると同時に、各凸形部２の外側には上方が開放状態の溝形状を有する凹形部１１が形成され、該凹形部１１は外側へ膨出した形状に変形される。また、各凹形部１１の両側には上方を向く角部１０ａ、１０ｂが形成される。
【００５４】
本実施例のカップホルダー１Ａは上記のように構成されているため、このカップホルダー１Ａを使用して３個口のカップを保持するには、図１に示すように、３個のカップＣ、Ｃ…を隣設した状態で直列に配置すると共に、これらのカップＣのフランジＦの上面にカップホルダー１Ａを覆った状態で配置する。
【００５５】
そして、図２及び図３に示すように、カップホルダー１Ａの両側の辺部９、９を下方に折り曲げると、夫々の凸形部２、２…が各カップＣのフランジＦの上面に当接し被さった状態となる。
【００５６】
また、各離間部７において折曲線８に沿って辺部９を下方へ折り曲げると、各凸形線部３の外側に形成された各凹形部１１が各カップＣの外周側面に沿って湾曲状に変形して各カップＣの外周側面を押圧状態で包囲する。
【００５７】
さらに、各凹形部１１の両側にて上方を向く各角部１０ａ、１０ｂが各カップＣの外周側面を押圧した状態にして各角部１０ａ、１０ｂの上端が各カップＣのフランジＦの下面を係止することができ、これによって各角部１０ａ、１０ｂが上方へ外れることを防止することが可能となる。
【００５８】
また、上記の構成によって、各カップＣの凹形部１１が湾曲状に変形した反発力で各カップＣの外周を押圧保持することとなる。その結果、各カップＣを保持した状態のカップホルダー１Ａの両側の外側形状は、各カップＣの外側面を包囲するごとに波状に膨出した形状となって、その反発力で各カップＣの外周側面を押さえつけ、上記のように、各凹形部１１の両側の各角部１０ａ、１０ｂがフランジＦの下面を係止した際の保持力をさらに強化することが可能となる。
【実施例２】
【００５９】
本実施例のカップホルダー１Ｂは、図４〜図６に示すように、４個のカップを対角線方向に隣接状態で並べた４個口のカップホルダーとして構成したものである。従って、本実施例のカップホルダー１Ｂによれば、上部にフランジＦを有する４個のカップＣを対角線方向に隣接状態で並べ、各カップＣの上面を一括的に覆った状態で保持することができる。
【００６０】
このようなカップホルダー１Ｂを構成する材料としては、実施例１と同様に、厚紙や合成樹脂製の弾性を有するシート材料を用いて、図４のような展開形状に形成するとよい。また、この実施例においても、カップホルダー１Ｂの上面にカップＣの内容物に応じた宣伝用の絵柄や文字等を表示することによってカップホルダーを商業用途に応用することが可能となる。
【００６１】
また、図４に示すように、本実施例のカップホルダー１Ｂの展開形状は、カップＣのフランジＦの形状を２点鎖線で示したように、対角線方向に隣接配置した４個のカップＣ、Ｃ…のフランジＦの上面を一括して覆う広さを有する四角形状のシート材料から形成するとよい。
【００６２】
ただし、本実施例のカップホルダー１Ｂの外形は、四角形状のみに限定されるものでなく、実施例２のカップホルダー１Ｂの構成の範囲内で、図４のように四角形状の各コーナーを湾曲状に形成したり、全体を円形や異形等に形成することも可能である。
【００６３】
本実施例のカップホルダー１Ｂの展開形状は、図４に示すように、対角線方向に隣接状態で配置した４個のカップＣ、Ｃ…全体の各コーナー部において、各カップＣのフランジＦの一部の上面を押える湾曲凸形部１２を形成するために、湾曲凸形線部１３で切り込んだ構成としている。また、湾曲凸形線部１３からカップＣの内方へ入った部位へ切り込んだ両裾線部１４ａ、１４ｂをカップＣのフランジＦの外周端近傍の外部まで延長した構成としている。
【００６４】
さらに、上記の両裾線部１４ａ、１４ｂの端部に略垂直に接する短尺の円弧形状の端部切込線１５ａ、１５ｂを形成することにより、湾曲凸形線部１３と両裾線部１４ａ、１４ｂと両側の端部切込線１５ａ、１５ｂとの組合せから成る連続切込線１６をカップホルダー１Ｂの対角線方向の４箇所に形成している。
【００６５】
また、本実施例においては、対角線方向に隣接状態で配置した４個のカップＣ、Ｃ…の夫々の連続切込線１６、１６…の間をなす離間部１７、１７…において隣設する端部切込線１５ａ、１５ｂの内方端付近を結ぶ線を折曲線１８として形成する。さらに、この折曲線１８にはカップホルダー１Ｂの外周端部に向けて三角形の二辺をなす形状で折込線１８ａ、１８ｂを形成する。ただし、この折込線１８ａ、１８ｂは、カップホルダー１Ｂの外周の一点において三角形の頂点を形成することなく、台形の両辺のように形成することも可能である。
【００６６】
また、本実施例において、対角線方向に隣接状態で配置した４個のカップＣ、Ｃ…の間の隙間をなす位置に相当するカップホルダー１Ｂの内方部位を所定の形状に切り込んで下方に折り曲げることによって形成した係止構造３０ＡでカップＣ、Ｃ…のフランジＦ、Ｆ…を係止するようにしている。
【００６７】
本実施例の場合、この係止構造３０Ａは、カップホルダーＣ、Ｃ…の内方部位において対角線方向に切り込んだ十字形の切込線２２、２２の各先端が各カップＣのフランジＦの内周付近まで形成されると共に、各切込線２２、２２の各先端の両側に短尺の切離部２３、２３が形成された構成としている。また、隣設する各切離部２３、２３間に設けられた折曲線２４、２４…に沿って下方に折り曲げて形成した三角片２５、２５…の両端の角部２６、２６で各カップＣのフランジＦの下面を係止することが可能となる。
【００６８】
上記の構成により、本実施例のカップホルダー１Ｂを使用して４個口のカップＣを保持するには、図４に示すように、４個のカップＣ、Ｃ…を対角線方向に隣接状態で配置した状態で、これらのカップＣ、Ｃ…全体の上面にカップホルダー１Ｂを覆った状態で配置する。
【００６９】
そして、図５及び図６に示すように、各離間部１７における折曲線１８に沿ってホルダー１Ｂの周辺の辺部１９、１９を下方に折り曲げると、ホルダー１Ｂの四方の各コーナー間で折込線１８ａ、１８ｂが内側に凹んだ状態で折り込まれる。また、各湾曲凸形線部１３の外側に形成された各湾曲凹形部２１が各カップＣの外周側面に沿って湾曲に変形して各カップＣの外周側面を押圧状態で包囲する。さらに、各湾曲凹形部２１の両側にて上方を向く各角部２０ａ、２０ｂがカップＣの外周側面を押圧した状態で各角部２０ａ、２０ｂの上端が各カップＣのフランジＦの下面を係止し、各角部２０ａ、２０ｂが上方へ外れることを防止することが可能となる。
【００７０】
一方、カップホルダー１Ｂの内方部位に形成したカップＣのフランジＦを係止する係止構造３０Ａは、図５又は図６に示すように、十字形の切込線２２の各端部に形成した隣設する切離部２３、２３間の折曲線２４で下方に折り曲げることによって形成された三角片２５の両側の角部２６、２６でカップＣのフランジＦの下面を係止することにより、カップホルダー１Ｂの中央においてもカップＣのフランジＦに対して固定した状態にすることが可能となる。
【００７１】
さらに、本実施例において、カップホルダー１Ｂの内方部位に形成したカップＣのフランジＦを係止する係止構造は、図７に示すように他の係止構造３０Ｂによって実施してもよい。
【００７２】
この係止構造３０Ｂは、図７に示すように、カップホルダー１Ｂの内方部位において一方の対角線に沿って形成された中央切込線３１の各先端が対向する２個のカップＣ、Ｃの各フランジＦ、Ｆの内周付近まで形成される。また、中央切込線３１の各先端部が、対向する各カップＣ、ＣにおけるフランジＦ、Ｆの内周近傍に沿って形成した円弧形切込線３２、３２の中間位置に接合する位置まで形成される。
【００７３】
さらに、他方の対角位置に配置した２個のカップＣ、Ｃの各フランジＦ、Ｆの内方に沿って互いに平行に形成した一対の折曲線３３、３３の各内方部に切抜線３４、３４を形成する。また、各折曲線３３、３３の各端部付近に短尺の切離線３３ａ、３３ａ…を形成する一方、各切離線３３ａ、３３ａ…が各円弧形切込線３２、３２の両端に結合された構成とされている。
【００７４】
なお、上記の構造において、各折曲線３３、３３は、その内方部に形成された切抜線３４と四方の隅部に形成された切離線３３ａ、３３ａ…によって、短尺の結合部３３ｂ、３３ｂ…が切り離されずに残った部位となって折り曲げ可能とされている。また、図７に示す各所の小円形孔２９、２９…は、各接合部３３ｂの両端に形成された小径穴であり、切抜線３４や切離線３３ａが延長しないように形成されたものである。
【００７５】
上記の構成により、図７の係止構造３０Ｂは、中央切込線３１を境にして分離した両側の折曲片３５、３５を夫々の折曲線３３、３３に沿って下方に折り曲げ、各切抜線３４、３４に各カップＣのフランジＦを引っ掛けると共に、両側の折曲片３３、３３の各両端部の切離線３３ａ、３３ａ…で形成された角部３６、３６…で一方の対角位置に配置した２個のカップＣ、Ｃの各フランジＦ、Ｆの下面を係止することが可能となる。
【００７６】
さらに、本実施例において、カップホルダー１Ｂの内方部位に形成したカップＣのフランジＦを係止する係止構造は、図８に示すように他の係止構造３０Ｃによって実施してもよい。
【００７７】
この図８に示す係止構造３０Ｃは、カップホルダー１Ｂの内方部位において形成された直線状の中央折曲線３７が互いに隣接する２個ずつのカップＣ、Ｃの各接点Ｃ’、Ｃ’付近まで形成されると共に、中央折曲線３７の両端部に切離されない折曲部３８、３８を残して内方に中央切抜線３９を形成したものである。
【００７８】
一方、中央折曲線３７の両端に接合する左右の円弧形切抜線４０、４０と各円弧形切抜線４０、４０の各両端から４個のカップＣ、Ｃ…の中央の隙間に臨むフランジＦ、Ｆ…の中央付近の外周位置まで延長した四方の傾斜切抜線４１、４１…を形成すると共に、各傾斜切抜線４１、４１…の内方端部付近に小円弧形切抜線４２、４２…を接合し、中央切抜線３９を跨いで隣設する小円弧形切抜線４２、４２…の端部同士を左右の折曲線４６、４６で接続した構成としている。
【００７９】
なお、上記の構造において、図８に示す小円形孔４３は、傾斜切抜線４１、４１…の各端部に形成されたものであり、各傾斜切抜線４１の端部がその間に形成された折曲線４４、４４に延長しないように形成されたものである。
【００８０】
このような構成により、両側の折曲線４４、４４に沿って中央折曲線３７で下方へ折り曲げると、中央折曲線３７を境に内方の中央切抜線３９が間口を広げながら両側の長尺折曲片４５、４５がその両端の折曲部３８、３８の部位にて合致しつつ隣接するカップＣ、ＣのフランジＦ、Ｆ間に入り、これに伴って形成された各小円弧形切抜線４２、４２…の角部４７、４７…で各カップＣのフランジＦの下面を係止することが可能となる。
【実施例３】
【００８１】
図９に示す本実施例のカップホルダー１Ｃは、実施例１の構成と実施例２の構成を併せ持ったものであり、例えば、６個のカップを二列配置状態で並べた６個口のカップを保持するカップホルダーとして利用可能である。
【００８２】
また、本実施例において、カップホルダー１Ｃを構成する材料としては、実施例１又は２と同様に、厚紙や合成樹脂製の弾性を有するシート材料を用いて、図９のような展開形状に形成することができる。さらに、この実施例においても、カップホルダー１Ｃの上面にカップＣの内容物に応じた宣伝用の絵柄や文字等を表示することによってカップホルダーを商業用途に応用することができる。
【００８３】
本実施例の展開形状は、図９に示すように、弾性を有するシート材料からなるホルダーの展開形状が、二列配置状態で並べた所定数のカップＣのフランジＦの上面を一括して覆う広さを有し、実施例２と同様に四方のコーナー部が湾曲形状に形成されている。
【００８４】
また、二列配置状態の短辺側において２個配列した各カップＣ、Ｃのコーナー部のフランジＦの上面を押える湾曲凸形部１２を形成するために、湾曲凸形線部１３を切り込み形成する。また、この湾曲凸形線部１３と該湾曲凸形線部１３からカップＣの内方へ入った部位へ切り込んだ両裾線部１４ａ、１４ｂをカップＣのフランジＦの外周端近傍の外部まで延長すると共に、該両裾線部１４ａ、１４ｂの端部に略垂直に接する短尺円弧形の端部切込線１５ａ、１５ｂを形成する。
【００８５】
さらに、湾曲凸形線部１３と両裾線部１４ａ、１４ｂと両側の端部切込線１５ａ、１５ｂとの組合せから成る連続切込線１６をカップホルダー１Ｃの各コーナー部に形成する。
【００８６】
また、カップＣの二列配置状態の短辺側における連続切込線１６、１６の間の離間部１７において隣設する端部切込線１５ａ、１５ｂの内方端付近を結ぶ線を折曲線１８として形成する。さらに、この折曲線１８にはカップホルダー１Ｃの外周端部に向けて三角形の二辺をなす形状で折込線１８ａ、１８ｂを形成する。ただし、この折込線１８ａ、１８ｂは、実施例２と同様に、カップホルダー１Ｃの外周の一点において三角形の頂点を形成することなく、台形の両辺のように形成することも可能である。
【００８７】
一方、本実施例においては、二列配置状態の長辺側に配置された３個のカップＣ、Ｃ…の内、中央のカップＣにおけるフランジＦの側部の上面を押える凸形部２をカップＣの配列方向に沿って形成された凸形線部３で切り込み形成する。
【００８８】
また、この凸形線部３からカップＣの内方へ入った部位で凸形線部３の両側に連続して切り込んだ両裾線部４ａ、４ｂをカップＣのフランジＦの外周端近傍の外部まで延長すると共に、両裾線部４ａ、４ｂの端部に略垂直に接する短尺円弧形の端部切込線５ａ、５ｂを形成する。
【００８９】
上記の構成により、本実施例のカップホルダー１Ｃを使用して二列配置の６個口のカップＣ、Ｃ…を保持するには、図９に示すように、６個のカップＣ、Ｃ…を配置した状態で、これらのカップＣ、Ｃ…全体の上面にカップホルダー１Ｃを覆った状態で配置する。
【００９０】
さらに、カップホルダー１Ｃにおいて、各コーナー部の連続切込線１６と長辺側の各連続切込線６との間をなす各離間部７にて隣設する端部切込線１５ａ、１５ｂ又は１５ｂ、１５ａの内方端部付近同士を結ぶ線を折曲線８として該折曲線８の外側のカップホルダー１Ｃの辺部９、９を下方へ折り曲げる。これによって、図１０又は図１１に示すように、各凸形部２の両側にて上方を向く角部１０ａ、１０ｂ（図３参照）を形成し、この角部１０ａ、１０ｂの上端をフランジＦの下面に係止すると共に、角部１０ａ、１０ｂの内側面でフランジＦの下方の外周を押圧することが可能となる。
【００９１】
このような本実施例の構成により、二列配置状態の長辺側における各コーナー部とコーナー部との間においては、カップホルダー１Ｃの長辺側に形成された各凹形部１１が各カップＣの外周側面に沿って湾曲変形した押圧状態で包囲すると共に、各凹形部１１の両側にて上方を向く各角部１０ａ、１０ｂがカップＣの外周側面を押圧した状態にして各角部１０ａ、１０ｂの上端が各カップＣのフランジＦの下面を係止する。
【００９２】
これによって、カップホルダー１Ｃの長辺側形状は各凹形部１１と各コーナー部の湾曲凹形部２１の間、即ち各カップＣとカップＣの間において内方へ凹むと同時に、各凹形部１１が湾曲状に膨出変形した形状で各カップの外周を押圧保持する。従って、各カップＣを保持したカップホルダー１Ｃの両側の外側形状は、各カップＣの外側面を包囲するごとに波状に膨出した形状となって、その反発力で各カップＣの外周側面を強力に押さえつけ、上記のように各凹形部１１の両側の各角部１０ａ、１０ｂがフランジＦの下面を係止した際の保持力をさらに強化することが可能となる。
【００９３】
さらに、カップホルダー１Ｃの各コーナー部に形成された湾曲凹形部２１が各カップＣの外周側面に沿って湾曲に変形して各カップＣの外周側面を押圧状態で包囲すると共に、各湾曲凹形部２１の両側にて上方を向く各角部２０ａ、２０ｂがカップＣの外周側面を押圧した状態にして各角部２０ａ、２０ｂの上端が各カップＣのフランジＦの下面を係止することが可能となる。
【００９４】
これによって、カップホルダー１Ｃの短辺側形状は、各コーナー部とコーナー部の間、即ちカップＣとカップＣの間において、折り曲げられた折曲線１８ａ、１８ｂに沿って内方へ凹むと同時に、各コーナー部において各カップＣの外側面を包囲するごとに各湾曲凹形部２１が波状に膨出した形状となり、その反発力で各カップＣの外周側面を押さえつけ、上記のように各湾曲凹形部２１の両側にて各角部２０ａ、２０ｂが各カップのフランジＦの下面に係止された保持力をさらに強化することが可能となる。
【００９５】
また、このカップホルダー１Ｃにおいても、二列配置状態に配列した各カップＣ、Ｃ…の間の内方の隙間をなす位置に相当するカップホルダー１Ｃの内方部位を所定の形状に切り込んで下方に折り曲げることによって形成した係止構造３０Ａで、カップＣのフランジＦを係止した状態にすることが可能となる。
【００９６】
この係止構造３０Ａは、実施例２の場合と同様に構成されており、図９に示すように、カップホルダー１Ｃの二箇所の内方部位において対角線方向に切り込んだ十字形の切込線２２、２２の各先端が各カップＣのフランジＦの内周付近まで形成されると共に、各切込線２２、２２の各先端の両側に短尺の切離部２３、２３が形成された構成としている。また、隣設する各切離部２３、２３間に設けられた折曲線２４、２４…に沿って下方に折り曲げて形成した三角片２５、２５…の両端の角部２６、２６で各カップＣのフランジＦの下面を係止することが可能となる。
【００９７】
また、本実施例において、カップホルダー１Ｃの二箇所の内方部位に形成したカップＣのフランジＦを係止する係止構造は、図１２に示すように他の係止構造３０Ｂによって実施してもよい。
【００９８】
この係止構造３０Ｂは、図１２に示すように、カップホルダー１Ｃの２箇所の各内方部位において一方の対角線に沿って形成された中央切込線３１の各先端が対向する２個のカップＣ、Ｃの各フランジＦ、Ｆの内周付近まで形成される。また、中央切込線３１の各先端部が、対向する各カップＣ、ＣにおけるフランジＦ、Ｆの内周近傍に沿って形成した円弧形切込線３２、３２の中間位置に接合する位置まで形成される。
【００９９】
さらに、他方の対角位置に配置した２個のカップＣ、Ｃの各フランジＦ、Ｆの内方に沿って互いに平行に形成した一対の折曲線３３、３３の各内方部に切抜線３４、３４を形成する。また、各折曲線３３、３３の各端部付近に短尺の切離線３３ａ、３３ａ…を形成する一方、各切離線３３ａ、３３ａ…が各円弧形切込線３２、３２の両端に結合された構成とされている。
【０１００】
なお、上記の構造において、各折曲線３３、３３は、その内方部に形成された切抜線３４と四方の隅部に形成された切離線３３ａ、３３ａ…によって、短尺の接合部３３ｂ、３３ｂ…が切り離されずに残った部位となって折り曲げ可能とされている。また、図１２に示す各所の小円形孔２９、２９…は、各接合部３３ｂの両端に形成された小径穴であり、切抜線３４や切離線３３ａが延長しないように形成されたものである。
【０１０１】
このように構成された係止構造３０Ｂは、実施例２で説明したように、カップホルダー１Ｃの内方部位において一方の対角線に沿って形成された中央切込線３１を境にして分離した両側の折曲片３５、３５を夫々の折曲線３３、３３に沿って下方に折り曲げる。こうすることによって、各切抜線３４、３４に各カップＣのフランジＦを引っ掛けると共に、両側の折曲片３３、３３の各両端部の切離線３３ａ、３３ａ…で形成された角部３６、３６…で一方の対角位置に配置した２個のカップＣ、Ｃの各フランジＦ、Ｆの下面を係止することが可能となる。
【０１０２】
さらに、本実施例において、カップホルダー１Ｃの二箇所の各内方部位に形成したカップＣのフランジＦを係止する係止構造は、図１３に示すように他の係止構造３０Ｃによって実施してもよい。
【０１０３】
この係止構造３０Ｃは、カップホルダー１Ｃの二箇所の各内方部位において形成された直線状の中央折曲線３７が互いに隣接する２個ずつのカップＣ、Ｃの各接点Ｃ’付近まで形成されると共に、中央折曲線３７の両端部に切離されない折曲部３８、３８を残して内方に中央切抜線３９を形成する。一方、中央折曲線３７の両端に接合する左右の円弧形切抜線４０、４０と各円弧形切抜線４０、４０の各両端から各カップＣ、Ｃ…の間の隙間側のフランジＦ、Ｆ…の外周付近まで延長した四方の傾斜切抜線４１、４１…を形成すると共に、各傾斜切抜線４１、４１…の内方端部付近に小円弧形切抜線４２、４２…を接合し、中央切抜線３９を跨いで隣設する小円弧形切抜線４２、４２…の端部同士を折曲線４６で接続した構成としている。
【０１０４】
なお、上記の構造において、図１２に示す小円形孔４３は、傾斜切抜線４１、４１…の各端部に形成されたものであり、各傾斜切抜線４１の端部がその間に形成された折曲線４４、４４に延長して拡大しないようにするためのものである。
【０１０５】
このような構成により、両側の折曲線４４、４４に沿って中央折曲線３７で下方へ折り曲げると、中央折曲線３７を境に内方の中央切抜線３９が間口を広げながら両側の長尺折曲片４５、４５がその両端部の折曲部３８、３８の部位にて合致しつつ隣接するカップＣ、ＣのフランジＦ、Ｆ間に挟持され、これに伴って形成された各小円弧形切抜線の角部４７、４７…で各カップＣのフランジＦの下面を係止することが可能となる。
【産業上の利用可能性】
【０１０６】
本発明のカップホルダーは、上端にフランジを有するカップ形状の容器を複数個並べ、各容器の上面を覆った状態で一括的に保持すると共に、各容器に対する保持力を強くすることによって、ホルダーが容器から外れ難くしたカップホルダーとして利用可能である。
【符号の説明】
【０１０７】
１Ａ  カップホルダー
１Ｂ  カップホルダー
１Ｃ  カップホルダー
Ｃ  カップ
Ｆ  フランジ
２  凸形部
３  凸形線部
４ａ、４ｂ  両裾線部
５ａ、５ｂ  端部切込線
６  連続切込線
７  離間部
８  折曲線
８ａ、８ｂ  折曲線
９  辺部
１０ａ、１０ｂ  角部
１１  凹形部
１２  湾曲凸形部
１３  湾曲凸形線部
１４ａ、１４ｂ  両裾線部
１５ａ、１５ｂ  端部切込線
１６  連続切込線
１７  離間部
１８  折曲線
１８ａ、１８ｂ  折込線
１９  辺部
２０ａ、２０ｂ  角部
２１  湾曲凹形部
２２  切込線
２３  切離部
２４  折曲線
２５  三角片
２６  角部
２９  小円形孔
３０Ａ、３０Ｂ、３０Ｃ  係止構造
３１  中央切込線
３２  円弧形切込線
３３  折曲線
３３ａ  切離線
３３ｂ  接合部
３４  切抜線
３５  折曲片
３６  角部
３７  中央折曲線
３８  折曲部
３９  中央切抜線
４０  円弧形切抜線
４１  傾斜切抜線
４２  小円弧形切抜線
４３  小円形孔
４４  折曲線
４５  長尺折曲片
４６  折曲線
４７  角部
【図１】
2012245996.tif 000003
【図２】
2012245996.tif 000004
【図３】
2012245996.tif 000005
【図４】
2012245996.tif 000006
【図５】
2012245996.tif 000007
【図６】
2012245996.tif 000008
【図７】
2012245996.tif 000009
【図８】
2012245996.tif 000010
【図９】
2012245996.tif 000011
【図１０】
2012245996.tif 000012
【図１１】
2012245996.tif 000013
【図１２】
2012245996.tif 000014
【図１３】
2012245996.tif 000015